【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
代用骨と架橋性プレポリマーとの硬化性混合物を含む組成物であって、前記架橋性プレポリマーが、
ｉ）二酸または多官能性酸のモノマーまたはオリゴマーと、
ｉｉ）不飽和炭化水素部分である架橋性基を含むカルボン酸分子との無水物である、組成物。
【請求項２】
開始剤を更に含む、請求項１に記載の組成物。
【請求項３】
前記開始剤が光開始剤である、請求項２に記載の組成物。
【請求項４】
前記架橋性プレポリマーが、各末端に不飽和炭化水素部分を含む直鎖状のものである、請求項１に記載の組成物。
【請求項５】
前記架橋性プレポリマーが、ジカルボン酸モノマーまたはオリゴマーと、不飽和部分を含むカルボン酸分子との二無水物を含む、請求項１に記載の組成物。
【請求項６】
前記架橋性プレポリマーが、セバシン酸および１，３−ビス（ｐ−カルボキシフェノキシ）アルカンからなる群から選択される二酸のモノマーまたはオリゴマーのメタクリル酸二無水物を含む、請求項５に記載の組成物。
【請求項７】
前記１，３−ビス（ｐ−カルボキシフェノキシ）アルカンが、１，３−ビス（ｐ−カルボキシフェノキシ）プロパンである、請求項６に記載の組成物。
【請求項８】
前記架橋性プレポリマーが、
ｉ）二酸または多官能性酸のモノマーまたはオリゴマーと、
ｉｉ）不飽和炭化水素部分である架橋性基を含むカルボン酸分子との第２の無水物を更に含み、前記第２の無水物が前記第１の無水物と異なる、請求項１に記載の組成物。
【請求項９】
前記第１の無水物が、セバシン酸のモノマーまたはオリゴマーのメタクリル酸二無水物であり、前記第２の無水物が、１，３−ビス（ｐ−カルボキシフェノキシ）アルカンのモノマーまたはオリゴマーのメタクリル酸二無水物である、請求項８に記載の組成物。
【請求項１０】
前記第２の無水物に対する前記第１の無水物の比が、約１：２０〜約２０：１である、請求項８に記載の組成物。
【請求項１１】
前記第２の無水物に対する前記第１の無水物の比が、約１：５〜約５：１である、請求項９に記載の組成物。
【請求項１２】
前記第２の無水物に対する前記第１の無水物の比が、約１：５〜約１：１である、請求項９に記載の組成物。
【請求項１３】
前記第２の無水物に対する前記第１の無水物の比が、約１：１〜約１：５である、請求項９に記載の組成物。
【請求項１４】
前記代用骨が、自家移植片、同種異系移植片、異種移植片もしくはアロプラスト、またはそれらの混合物である、請求項１に記載の組成物。
【請求項１５】
前記アロプラストが高分子物質である、請求項１４に記載の組成物。
【請求項１６】
前記代用骨が、多孔質ミクロンサイズ粒子を含み、各粒子が、第１の生体適合性高分子材料のコア層と、前記コア層を取り囲む第２の生体適合性高分子材料のコーティングとを有し、前記第２の高分子材料が、親水性で前記第１の高分子材料と組成が異なる、請求項１に記載の組成物。
【請求項１７】
前記ミクロンサイズ粒子の口径が、約２５０ミクロン〜約９００ミクロンである、請求項１６に記載の組成物。
【請求項１８】
前記第１の高分子材料が、ポリ（メタクリル酸メチル）である、請求項１６に記載の組成物。
【請求項１９】
前記第２の高分子材料が、ポリ（メタクリル酸ヒドロキシエチル）である、請求項１６に記載の組成物。
【請求項２０】
水酸化カルシウムが、前記ミクロンサイズ粒子の外表面および内側に分布する、請求項１６に記載の組成物。
【請求項２１】
前記架橋性プレポリマーに対する前記代用骨の比が、約１：２０〜２０：１である、請求項１に記載の組成物。
【請求項２２】
前記架橋性プレポリマーに対する前記代用骨の比が、約１：２〜２：１である、請求項２１に記載の組成物。
【請求項２３】
治療薬を更に含む、請求項１に記載の組成物。
【請求項２４】
代用骨および架橋性プレポリマーを含む硬化組成物であって、架橋前の前記架橋性プレポリマーが、
ｉ）二酸または多官能性酸のモノマーまたはオリゴマーと、
ｉｉ）不飽和炭化水素部分である架橋性基を含むカルボン酸分子との１種以上の無水物である、硬化組成物。
【請求項２５】
前記硬化組成物の少なくとも２０重量％が、約６〜１０週間で生分解される、請求項２４に記載の硬化組成物。
【請求項２６】
前記硬化組成物の少なくとも５０重量％が、約６〜１０週間で生分解される、請求項２５に記載の硬化組成物。
【請求項２７】
前記硬化組成物の少なくとも２０重量％が、約６〜１２ヶ月間で生分解される、請求項２４に記載の硬化組成物。
【請求項２８】
前記硬化組成物の少なくとも５０重量％が、約６〜１２ヶ月間で生分解される、請求項２７に記載の硬化組成物。
【請求項２９】
硬化組成物に埋入する歯科インプラントを選択するステップと、
硬化組成物の量を調製するステップと、を含む安定化した歯科インプラントを形成させるための調製方法であって、前記硬化組成物が、代用骨と架橋性プレポリマーとの硬化性混合物を硬化させることによって得られ、前記架橋性プレポリマーが、二酸または多官能性酸のモノマーまたはオリゴマーと、不飽和炭化水素部分である架橋性基を含むカルボン酸分子と、の無水物を含む調製方法。
【請求項３０】
代用骨と架橋性プレポリマーとの硬化性混合物を型内で硬化させるステップを含む、所望の形状および寸法の目的物の製造方法であって、前記架橋性プレポリマーが、
ｉ）二酸または多官能性酸のモノマーまたはオリゴマーと、
ｉｉ）不飽和炭化水素部分である架橋性基を含むカルボン酸分子との無水物を含む、製造方法。
【請求項３１】
高分子代用骨と架橋性プレポリマーとの硬化性混合物を含む組成物であって、前記架橋性プレポリマーが、
Ａ）直鎖状の疎水性生分解性ポリマー、および直鎖状の非分解性親水性ポリマーからなる群から選択される直鎖状ポリマーと、
Ｂ）少なくとも１個のフリーラジカル重合性基を含む少なくとも１種のモノマーまたはマクロマーであって、無水物結合とアクリレートまたはメタクリレートからなる群から選択される重合性基とを含む少なくとも１種のモノマーまたはマクロマーと、を含む組成物。  
【請求項３２】
開始剤を更に含む、請求項３１に記載の組成物。
【請求項３３】
前記開始剤が、光開始剤である、請求項３２に記載の組成物。
【請求項３４】
前記モノマーまたはマクロマーが、１〜１００個の反復単位を含む、請求項３１に記載の組成物。
【請求項３５】
前記直鎖状の疎水性生分解性ポリマーが、ポリ酸無水物、ポリオルトエステル、ポリヒドロキシ酸、ポリジオキサノン、ポリカーボネートおよびポリアミノカーボネートからなる群から選択される１個以上の単位から形成される、請求項３１に記載の組成物。
【請求項３６】
前記直鎖状非分解性親水性ポリマーが、ポリ（エチレングリコール）、ポリ（エチレンオキシド）、部分または完全加水分解したポリ（ビニルアルコール）、ポリ（エチレンオキシド）・ポリ（プロピレンオキシド）ブロック共重合体（ポロクサマーおよびメロクサポル（ｍｅｒｏｘａｐｏｌｓ））、およびポロキサミンからなる群から選択される１種以上の単位から形成される、請求項３１に記載の組成物。
【請求項３７】
前記高分子代用骨が、多孔質ミクロンサイズ粒子を含み、各粒子が、第１の生体適合性高分子材料のコア層と、前記コア層を取り囲む第２の生体適合性高分子材料のコーティングと、を有し、前記第２の高分子材料が、親水性で第１の高分子材料と組成が異なる、請求項３１に記載の組成物。
【請求項３８】
前記ミクロンサイズ粒子の口径が、約２５０ミクロン〜約９００ミクロンである、請求項３７に記載の組成物。
【請求項３９】
前記高分子代用骨が、ミクロンサイズ粒子の外表面および内側に分布する若干の水酸化カルシウムを更に含む、請求項３７に記載の組成物。
【請求項４０】
前記第１の高分子材料が、ポリ（メタクリル酸メチル）である、請求項３７に記載の組成物。
【請求項４１】
前記第２の高分子材料が、ポリ（メタクリル酸ヒドロキシエチル）である、請求項３７に記載の組成物。
【請求項４２】
前記架橋性プレポリマーに対する前記高分子代用骨の比が、約１：２０〜２０：１である、請求項３７に記載の組成物。
【請求項４３】
前記架橋性プレポリマーに対する前記高分子代用骨の比が、約１：２〜２：１である、請求項４２に記載の組成物。
【請求項４４】
治療薬を更に含む、請求項３１に記載の組成物。
【請求項４５】
高分子代用骨と架橋性プレポリマーとの硬化性混合物を含む組成物を硬化させることによって形成される硬化組成物であって、前記架橋性プレポリマーが、
Ａ）直鎖状の疎水性生分解性ポリマー、および直鎖状の非分解性親水性ポリマーからなる群から選択される直鎖状ポリマーと、
Ｂ）少なくとも１個のフリーラジカル重合性基を含む少なくとも１種のモノマーまたはマクロマーであって、無水物結合とアクリレートまたはメタクリレートからなる群から選択される重合性基とを含む少なくとも１種のモノマーまたはマクロマーと、を含む硬化組成物。
【請求項４６】
前記高分子代用骨が、多孔質ミクロンサイズ粒子を含み、各粒子が、第１の生体適合性高分子材料のコア層と、前記コア層を取り囲む第２の生体適合性高分子材料のコーティングと、を有し、前記第２の高分子材料が、親水性で第１の高分子材料と組成が異なる、請求項４５に記載の硬化組成物。
【請求項４７】
前記硬化組成物の少なくとも２０重量％が、約６〜１０週間で生分解される、請求項４５に記載の硬化組成物。
【請求項４８】
前記硬化組成物の少なくとも５０重量％が、約６〜１０週間で生分解される、請求項４７に記載の硬化組成物。
【請求項４９】
前記硬化組成物の少なくとも２０重量％が、約６〜１２ヶ月間で生分解される、請求項４５に記載の硬化組成物。
【請求項５０】
前記硬化組成物の少なくとも５０重量％が、約６〜１２ヶ月間で生分解される、請求項４９に記載の硬化組成物。
【請求項５１】
硬化組成物に埋入する歯科インプラントを選択するステップと、
硬化組成物の量を調製するステップと、を含む安定化した歯科インプラントを形成させるための調製方法であって、前記硬化組成物が、代用骨と架橋性プレポリマーとの硬化性混合物を硬化させることによって得られ、前記硬化組成物が、直鎖状の疎水性生分解性ポリマー、および直鎖状の非分解性親水性ポリマーからなる群から選択される直鎖状ポリマーと、少なくとも１個のフリーラジカル重合性基を含む少なくとも１種のモノマーまたはマクロマーであって、無水物結合とアクリレートまたはメタクリレートからなる群から選択される重合性基とを含む少なくとも１種のモノマーまたはマクロマーと、を含む調製方法。
【請求項５２】
代用骨と架橋性プレポリマーとの硬化性混合物を型内で硬化させるステップを含む所望の形状および寸法の目的物の製造方法であって、前記架橋性プレポリマーが、
ｉ）直鎖状の疎水性生分解性ポリマー、および直鎖状の非分解性親水性ポリマーからなる群から選択される直鎖状ポリマーと、
ｉｉ）少なくとも１個のフリーラジカル重合性基を含む少なくとも１種のモノマーまたはマクロマーであって、無水物結合とアクリレートまたはメタクリレートからなる群から選択される重合性基とを含む少なくとも１種のモノマーまたはマクロマーと、を含む製造方法。
【請求項５３】
高分子代用骨と架橋性プレポリマーとの硬化性混合物を含む組成物であって、
架橋性プレポリマーが、少なくとも２個の重合性末端基を含み、０〜６０℃の温度で三次元形状に変形可能且つ架橋可能となるような粘性を有する組成物。
【請求項５４】
前記高分子代用骨が、多孔質ミクロンサイズ粒子を含み、各粒子が、第１の生体適合性高分子材料のコア層と、前記コア層を取り囲む第２の生体適合性高分子材料のコーティングと、を有し、前記第２の高分子材料が、親水性で第１の高分子材料と組成が異なる、請求項５３に記載の組成物。
【請求項５５】
開始剤を更に含む、請求項５４に記載の組成物。
【請求項５６】
前記開始剤が、光開始剤である、請求項５５に記載の組成物。
【請求項５７】
前記架橋性プレポリマーが、親水性領域を含む、請求項５４に記載の組成物。
【請求項５８】
前記架橋性プレポリマーが、１〜１００個の反復単位を含む、請求項５４に記載の組成物。
【請求項５９】
前記架橋性プレポリマーが、少なくとも１箇所の生分解性領域と、少なくとも１箇所の重合領域とを含む、請求項５４に記載の組成物。
【請求項６０】
前記架橋性プレポリマーの親水性領域が、ポリエチレングリコール、またはエチレンオキシドとアルキレンオキシドとの共重合体であり、重合度が、２〜５００である、請求項５７に記載の組成物。
【請求項６１】
前記架橋性プレポリマーが、ポリアセタール配列を含む、請求項５４に記載の組成物。
【請求項６２】
前記架橋性プレポリマーが、
（Ａ）ポリエステル配列内のラクトンコモノマーのどの一つも、７５モル％を超える量で存在しないようなラクトンコモノマーの混合物を共重合することによって形成されるポリエステル配列；
（Ｂ）ポリオルトエステル配列；または
（Ｃ）ポリエステル配列とポリオルトエステル配列との混合、である請求項５４に記載の組成物。
【請求項６３】
前記重合性領域が、エチレン性不飽和、アセチレン性不飽和、またはその両方を含む、請求項５９に記載の組成物。
【請求項６４】
ミクロンサイズ粒子の口径が、約２５０ミクロン〜９００ミクロンである、請求項５４に記載の組成物。
【請求項６５】
前記高分子代用骨が、ミクロンサイズ粒子の外表面および内側に分布する若干の水酸化カルシウムを更に含む、請求項５４に記載の組成物。
【請求項６６】
前記第１の高分子材料が、ポリ（メタクリル酸メチル）である、請求項５４に記載の組成物。
【請求項６７】
前記第２の高分子材料が、ポリ（メタクリル酸ヒドロキシエチル）である、請求項５４に記載の組成物。
【請求項６８】
前記架橋性プレポリマーに対する前記高分子代用骨の比が、約１：２０〜２０：１である、請求項５４に記載の組成物。
【請求項６９】
前記架橋性プレポリマーに対する前記高分子代用骨の比が、約１：２〜２：１である、請求項６２に記載の組成物。
【請求項７０】
治療薬を更に含む、請求項５４に記載の組成物。
【請求項７１】
高分子代用骨と架橋性プレポリマーとの硬化性混合物を含む組成物を硬化させることによって形成される硬化組成物であって、
前記架橋性プレポリマーが、少なくとも２個の重合性末端基を含み、０〜６０℃の温度で三次元形状に変形可能且つ架橋可能となるような粘性を有する硬化組成物。
【請求項７２】
前記高分子代用骨が、多孔質ミクロンサイズ粒子を含み、各粒子が、第１の生体適合性高分子材料のコア層と、前記コア層を取り囲む第２の生体適合性高分子材料のコーティングと、を有し、前記第２の高分子材料が、親水性で第１の高分子材料と組成が異なる、請求項７１に記載の組成物。
【請求項７３】
前記硬化組成物の少なくとも２０重量％が、約６〜１０週間で生分解される、請求項７１に記載の硬化組成物。
【請求項７４】
前記硬化組成物の少なくとも５０重量％が、約６〜１０週間で生分解される、請求項７３に記載の硬化組成物。
【請求項７５】
前記硬化組成物の少なくとも２０重量％が、約６〜１２ヶ月間で生分解される、請求項７１に記載の硬化組成物。
【請求項７６】
前記硬化組成物の少なくとも５０重量％が、約６〜１２ヶ月間で生分解される、請求項７５に記載の硬化組成物。
【請求項７７】
硬化組成物に埋入する歯科インプラントを選択するステップと、
硬化組成物の量を調製するステップと、を含む安定化した歯科インプラントを形成するための調製方法であって、前記硬化組成物が、代用骨と架橋性プレポリマーとの硬化性混合物を硬化させることによって得られ、前記架橋性プレポリマーが、少なくとも２個の重合性末端基を含み、０〜６０℃の温度で三次元形状に変形可能且つ架橋可能となるような粘性を有する調製方法。
【請求項７８】
代用骨と架橋性プレポリマーとの硬化性混合物を型内で硬化させるステップを含む、所望の形状および寸法の目的物の製造方法であって、前記架橋性プレポリマーが、少なくとも２個の重合性末端基を含み、０〜６０℃の温度で三次元形状に変形可能となるような粘性を有する製造方法。
【請求項７９】
レドックス開始剤系の酸化成分または還元成分のいずれかを更に含む、請求項１に記載の組成物。
【請求項８０】
レドックス開始剤系の酸化成分または還元成分のいずれかを更に含む、請求項３１に記載の組成物。
【請求項８１】
レドックス開始剤系の酸化成分または還元成分のいずれかを更に含む、請求項５３に記載の組成物。
【請求項８２】
（Ａ）高分子代用骨と；
（Ｂ）ｉ）二酸または多官能性酸のモノマーまたはオリゴマーと、
ｉｉ）不飽和炭化水素部分を有する架橋性基を含むカルボン酸分子と、の無水物を含む架橋性プレポリマーと；
（Ｃ）光開始剤と；
（Ｄ）酸化成分および還元成分を含むレドックス系の一方または両方の部分と、の硬化性混合物を含む組成物。
【請求項８３】
（Ａ）（ｉ）高分子代用骨と；
（ｉｉ）二酸または多官能性酸のモノマーまたはオリゴマーと、不飽和炭化水素部分を有する架橋性基を含むカルボン酸分子と、の無水物を含む架橋性プレポリマーと；
（ｉｉｉ）光開始剤と；
（ｉｖ）酸化成分および還元成分を含むレドックス系と、の硬化性混合物を形成させること、
（Ｂ）前記レドックス系の２成分の反応によって前記混合物を部分硬化させること、および
（Ｃ）部分硬化させた硬化性混合物を、光重合させるのに十分な放射線に暴露すること、を含む硬化組成物を形成させる方法。
【請求項８４】
（Ａ）高分子代用骨と；
（Ｂ）（ｉ）直鎖状の疎水性生分解性ポリマー、および直鎖状の非分解性親水性ポリマーからなる群から選択される直鎖状ポリマーと、
（ｉｉ）少なくとも１個のフリーラジカル重合性基を含む少なくとも１種のモノマーまたはマクロマーであって、無水物結合とアクリレートまたはメタクリレートからなる群から選択される重合性基とを含む少なくとも１種のモノマーまたはマクロマーと、
を含む架橋性プレポリマーと；
（Ｃ）光開始剤と；
（Ｄ）酸化成分および還元成分を含むレドックス系の一方または両方の部分と、の硬化性混合物を含む組成物。
【請求項８５】
（Ａ）（ｉ）高分子代用骨と；
（ｉｉ）（ａ）直鎖状の疎水性生分解性ポリマー、および直鎖状の非分解性親水性ポリマーからなる群から選択される直鎖状ポリマーと、
（ｂ）少なくとも１個のフリーラジカル重合性基を含む少なくとも１種のモノマーまたはマクロマーであって、無水物結合とアクリレートまたはメタクリレートからなる群から選択される重合性基とを含む少なくとも１種のモノマーまたはマクロマーと、
を含む架橋性プレポリマーと；
（ｉｉｉ）光開始剤と；
（ｉｖ）酸化成分および還元成分を含むレドックス系と、の硬化性混合物を形成させること、
（Ｂ）前記レドックス系の２成分の反応によって前記混合物を部分硬化させること、および
（Ｃ）部分硬化させた硬化性混合物を、光重合させるのに十分な放射線に暴露すること、を含む硬化組成物を形成させる方法。
【請求項８６】
（Ａ）高分子代用骨と；
（Ｂ）少なくとも２個の重合性末端基を含み、架橋性プレポリマーが０〜６０℃の温度で三次元形状に変形可能且つ架橋可能となるような粘性を有する架橋性プレポリマーと；
ｉ）二酸または多官能性酸のモノマーまたはオリゴマーと、
ｉｉ）不飽和炭化水素部分を有する架橋性基を含むカルボン酸分子と、
（Ｃ）光開始剤と；
（Ｄ）酸化成分および還元成分を含むレドックス系の一方または両方の部分と、の硬化性混合物を含む組成物。
【請求項８７】
（Ａ）（ｉ）高分子代用骨と；
（ｉｉ）少なくとも２個の重合性末端基を含み、０〜６０℃の温度で三次元形状に変形可能且つ架橋可能となるような粘性を有する架橋性プレポリマーと；
（ｉｉｉ）光開始剤と；
（ｉｖ）酸化成分および還元成分を含むレドックス系と、の硬化性混合物を形成させること、
（Ｂ）前記レドックス系の２成分の反応によって前記混合物を部分硬化させること、および
（Ｃ）部分硬化させた硬化性混合物を、光重合させるのに十分な放射線に暴露すること、を含む硬化組成物を形成させる方法。